(57)【要約】【課題】  電源コネクターを本体から外さなければ、カバーを開けることができないようにする電子機器を提供する。【解決手段】  電子機器は、着脱可能な電源ケーブル400が接続される電源コネクター500が本体の修理点検用開閉パネルと該本体との接合部近傍に配置された電子機器であって、電源ケーブル400には、接続する電源コネクター500への差込みプラグ401の周縁に遮蔽部403を備え、本体側には、電源コネクター500の周縁で修理点検用開閉パネルを開閉させる係止手段を備え、差込みプラグ401が電源コネクター500に接続されることにより遮蔽部403が係止手段を遮蔽する。【選択図】    図４
2011197591.tif 000002
【特許請求の範囲】
【請求項１】
着脱可能な電源ケーブルが接続される電源コネクターが本体の修理点検用開閉パネルと該本体との接合部近傍に配置された電子機器において、
前記電源ケーブルには、接続する電源コネクターへの差込みプラグの周縁に遮蔽部を備え、
前記本体側には、前記電源コネクターの周縁で前記修理点検用開閉パネルを開閉させる係止手段を備え、
前記差込みプラグが電源コネクターに接続されることにより前記遮蔽部が前記係止手段を遮蔽し、差込みプラグを外したときに前記係止手段が露出状態となることを特徴とする電子機器。
【請求項２】
前記係止手段は、スライドレバーであることを特徴とする請求項１に記載の電子機器。
【請求項３】
前記スライドレバーが弾性部材により支持されて一方向に保持され、前記スライドレバーと一体で作動するスライドフック部を備えることを特徴とする請求項２に記載の電子機器。
【請求項４】
前記スライドフック部は、前記修理点検用開閉パネルと接合するカバーに突出するように形成されるピンに係合されることを特徴とする請求項３に記載の電子機器。
【請求項５】
さらに、前記修理点検用開閉パネルと接合する前記カバーには、前記ピンに係合された前記スライドフック部を保持するためのフック保持部材を備えていることを特徴とする請求項４に記載の電子機器。
【請求項６】
前記フック保持部材は、前記係止手段によって前記修理点検用開閉パネルと前記カバーとが接合されていない場合に前記電源コネクターを遮蔽する電源コネクター遮蔽部を有することを特徴とする請求項５に記載の電子機器。
【請求項７】
前記係止手段は、止め螺子であって、前記差込みプラグが電源コネクターに接続されることにより前記遮蔽部が前記係止手段を遮蔽し、差込みプラグを外したときに前記係止手段が露出状態となることを特徴とする請求項１に記載の電子機器。
【請求項８】
請求項１乃至請求項７の何れか１項に記載の電子機器であって、
前記電子機器は、プロジェクタ筐体と、該プロジェクタ筐体内に収納されるレーザー発光器を有した光源ユニットと、光源側光学系と、ライトトンネル等の導光光学系と、表示素子と、投影側光学系と、を備え、プロジェクタ制御手段を有するプロジェクタであることを特徴とする電子機器。
【請求項９】
前記修理点検用開閉パネルは、機器本体の上面を覆う上カバーであることを特徴とする請求項１乃至請求項８の何れか１項に記載の電子機器。
【請求項１０】
前記修理点検用開閉パネルは、機器本体の上面から前記電源コネクターを有する側面に向かってＬ字型に形成されたパネルであることを特徴とする請求項１乃至請求項８の何れか１項に記載の電子機器。
【請求項１１】
前記修理点検用開閉パネルは、機器本体の底面から前記電源コネクターを有する側面に向かってＬ字型に形成されたパネルであることを特徴とする請求項１乃至請求項８の何れか１項に記載の電子機器。
【発明の詳細な説明】
【技術分野】
【０００１】
本発明は、安全性を備えたプロジェクタなどの電子機器に関する。
【背景技術】
【０００２】
従来、電子機器には、レーザー光線を射出したり、内部で高圧を発生させるなどのものがあり、予め開閉パネル等の開閉検出による安全装置を設けておくことにより、修理者が機器を修理するために開閉パネル等を開けた場合に、外部にレーザー光線が射出されたり、誤って高圧部に接触するなどを防止し、安全性を確保している。
【０００３】
例えば、下記に示す特許文献１では、筐体の所定の開閉パネルが外れていること等を検知するためにプッシュスイッチを設置し、このプッシュスイッチが開閉パネルを外してＯＦＦ状態であれば機器の電源がＯＦＦとなるようにして、不用意にレーザー光線が外部に射出されないようにする安全装置を備えたプロジェクタが開示されている。
【先行技術文献】
【特許文献】
【０００４】
【特許文献１】特開２００９−２１０８６０号公報
【発明の概要】
【発明が解決しようとする課題】
【０００５】
しかしながら、これらの安全装置は高精度なものであって、信頼性のあるスイッチを採用する必要があり、しかもスイッチの取り付け等において精度を要することから構成が複雑となり、組込みに工程が掛かり製品コストが高価となってしまうという問題があった。
【０００６】
本発明は、このような従来技術の問題点に鑑みてなされたものであり、電源ケーブルを本体から外さなければ、修理点検用開閉パネルを開けることができないようにする安価な構成の電子機器を提供することを目的とする。
【課題を解決するための手段】
【０００７】
本発明の電子機器は、着脱可能な電源ケーブルが接続される電源コネクターが本体の修理点検用開閉パネルと該本体との接合部近傍に配置された電子機器であって、前記電源ケーブルには、接続する電源コネクターへの差込みプラグの周縁に遮蔽部を備え、前記本体側には、前記電源コネクターの周縁で前記修理点検用開閉パネルを開閉させる係止手段を備え、前記差込みプラグが電源コネクターに接続されることにより前記遮蔽部が前記係止手段を遮蔽し、差込みプラグを外したときに前記係止手段を露出状態となることを特徴とする。
【０００８】
また、本発明の電子機器における前記係止手段は、スライドレバーであることが好ましい。
【０００９】
さらに、本発明の電子機器は、前記スライドレバーが弾性部材により支持されて一方向に保持され、前記スライドレバーと一体で作動するスライドフック部を備えるものである。
【００１０】
そして、本発明の電子機器における前記スライドフック部は、前記修理点検用開閉パネルと接合するカバーに突出するように形成されるピンに係合されるものである。
【００１１】
さらに、本発明の電子機器における前記修理点検用開閉パネルと接合する前記カバーには、前記ピンに係合された前記スライドフック部を保持するためのフック保持部材を備えているものである。
【００１２】
そして、本発明の電子機器における前記フック保持部材は、前記係止手段によって前記修理点検用開閉パネルと前記カバーとが接合されていない場合に前記電源コネクターを遮蔽する電源コネクター遮蔽部を有するものである。
【００１３】
また、本発明の電子機器における前記係止手段は、止め螺子であって、前記差込みプラグが電源コネクターに接続されることにより前記遮蔽部が前記係止手段を遮蔽し、差込みプラグを外したときに前記係止手段が露出状態となるものもある。
【００１４】
そして、本発明の電子機器は、上述の何れかの電子機器であって、前記電子機器は、プロジェクタ筐体と、該プロジェクタ筐体内に収納されるレーザー発光器を有した光源ユニットと、光源側光学系と、ライトトンネル等の導光光学系と、表示素子と、投影側光学系と、を備え、プロジェクタ制御手段を有するプロジェクタであることが好ましい。
【００１５】
そして、本発明の電子機器における前記修理点検用開閉パネルは、機器本体の上面を覆う上カバーであることがある。
【００１６】
さらに、本発明の電子機器における前記修理点検用開閉パネルは、機器本体の上面から前記電源コネクターを有する側面に向かってＬ字型に形成されたパネルであることもある。
【００１７】
そして、本発明の電子機器における前記修理点検用開閉パネルは、機器本体の底面から前記電源コネクターを有する側面に向かってＬ字型に形成されたパネルであることもある。
【発明の効果】
【００１８】
本発明によれば、電源ケーブルを本体から外さなければ、修理点検用開閉パネルを開けることができないようにする安価な構成の電子機器を提供する。
【図面の簡単な説明】
【００１９】
【図１】本発明の実施例に係る電子機器としてのプロジェクタを示す外観斜視図である。
【図２】本発明の実施例に係るプロジェクタの機能ブロック図である。
【図３】本発明の実施例に係るプロジェクタの内部構造を示す平面模式図である。
【図４】本発明の実施例に係るプロジェクタの電源コネクターの説明図である。
【図５】本発明の実施例に係るプロジェクタの上カバーと下カバーを分離した状態を示す説明図である。
【図６】本発明の実施例に係るプロジェクタの上カバーと下カバーとの接合状態を示す説明図である。
【図７】本発明の実施例の変形例に係るプロジェクタの電源コネクターの説明図である。
【発明を実施するための形態】
【００２０】
以下、本発明を実施するための形態について述べる。本発明の電子機器としてのプロジェクタ10は、修理点検用開閉パネルとされる上カバー11と内部機構の多くが固定された本体を形成するためのケースである下カバー16とを備える。そして、プロジェクタ10本体側は、上カバー11と下カバー16との接合部近傍に着脱可能な電源ケーブル400が接続される電源コネクター500を備える。また、プロジェクタ10は、プロジェクタ筐体と、そのプロジェクタ筐体内に収納されるレーザー発光器を有した光源ユニット60と、光源側光学系140と、ライトトンネル175等の導光光学系170と、表示素子51と、投影側光学系220と、を備える。さらに、プロジェクタ10は、光源制御手段等のプロジェクタ制御手段を有する。そして、電源ケーブル400には、接続するプロジェクタ10本体の電源コネクター500への差込みプラグ401の周縁に遮蔽部403を備える。また、プロジェクタ10本体側には、電源コネクター500の周縁で修理点検用開閉パネルである上カバー11側に配置され、上カバー11と下カバー16とを開閉させる係止手段であるスライドレバー502を備える。そして、プロジェクタ10は、電源ケーブル400の差込みプラグ401が電源コネクター500に接続されることにより遮蔽部403がスライドレバー502を遮蔽することとなる。
【００２１】
さらに、プロジェクタ10は、係止手段であるスライドレバー502が弾性部材により支持されて一方向に保持され、スライドレバー502と一体で作動するスライドフック部504を備える。
【００２２】
そして、スライドフック部504は、修理点検用開閉パネルある上カバー11と接合する下カバー16に突出するように形成されるピン506に係合されるものである。
【００２３】
さらに、修理点検用開閉パネルである上カバー11と接合する下カバー16には、ピン506に係合されたスライドフック部504を保持するためのフック保持部材である下カバー保持部材507を備えている。
【００２４】
また、下カバー保持部材507には、電源コネクター遮蔽部507aが設けられている。
【００２５】
そして、修理点検用開閉パネルである上カバー11は、機器本体の上面を覆うこととなる。
【実施例】
【００２６】
以下、本発明の実施例を図に基づいて詳説する。図１は、プロジェクタ10の外観斜視図である。プロジェクタ10は、修理点検用開閉パネルとされる上カバー11とプロジェクタ本体を形成する下カバーとにより上下で挟むようにして接合されて機器内部を塞いでいる。なお、本実施例において、左右とは投影方向に対しての左右方向を示し、前後とはプロジェクタ10のスクリーン側方向及び光線束の進行方向に対しての前後方向を示す。
【００２７】
そして、プロジェクタ10は、図１に示すように、略直方体形状であって、本体ケースの前方の側板とされる正面パネル12の側方に投影口を覆うレンズカバー19を有するとともに、この正面パネル12には複数の吸気孔18を設けている。さらに、正面パネル12には、図示しないがリモートコントローラからの制御信号を受信するＩｒ受信部が取り付けられている。
【００２８】
また、本体ケースである上面パネルにはキー／インジケータ部37が設けられ、このキー／インジケータ部37には、電源スイッチキーや電源のオン又はオフを報知するパワーインジケータ、投影のオン、オフを切りかえる投影スイッチキー、光源装置や表示素子又は制御回路等が過熱したときに報知をする過熱インジケータ等のキーやインジケータが配置されている。
【００２９】
さらに、本体ケースの背面には、背面パネルにＵＳＢ端子や画像信号入力用のＤ−ＳＵＢ端子、Ｓ端子、ＲＣＡ端子等を設ける入出力コネクター部及び電源コネクターである電源アダプタプラグ等の各種端子20が設けられている。なお、図示しない本体ケースの側板である右側パネル、及び、図１に示したプロジェクタ筐体の左側面の下部近傍には、各々複数の排気孔17が形成されている。
【００３０】
次に、プロジェクタ10のプロジェクタ制御手段について図２の機能ブロック図を用いて述べる。プロジェクタ制御手段は、制御部38、入出力インターフェース22、画像変換部23、表示エンコーダ24、表示駆動部26等から構成される。この制御部38は、プロジェクタ10内の各回路の動作制御を司るものであって、ＣＰＵや各種セッティング等の動作プログラムを固定的に記憶したＲＯＭ及びワークメモリとして使用されるＲＡＭ等により構成されている。
【００３１】
そして、このプロジェクタ制御手段により、入出力コネクター部21から入力された各種規格の画像信号は、入出力インターフェース22、システムバス（ＳＢ）を介して画像変換部23で表示に適した所定のフォーマットの画像信号に統一するように変換された後、表示エンコーダ24に出力される。
【００３２】
また、表示エンコーダ24は、入力された画像信号をビデオＲＡＭ25に展開記憶させた上でこのビデオＲＡＭ25の記憶内容からビデオ信号を生成して表示駆動部26に出力する。
【００３３】
表示駆動部26は、表示素子制御手段として機能するものであり、表示エンコーダ24から出力された画像信号に対応して適宜フレームレートで空間的光変調素子（ＳＯＭ）である表示素子51を駆動するものであり、光源ユニット60から射出された光線束、即ち光源ユニット60の光源側光学系により所定の一面に集光された光線束を導光光学系を介して表示素子51に照射することにより、表示素子51の反射光で光像を形成し、後述する投影側光学系を介して図示しないスクリーンに画像を投影表示する。なお、この投影側光学系の可動レンズ群235は、レンズモータ45によりズーム調整やフォーカス調整のための駆動が行われる。
【００３４】
また、画像圧縮伸長部31は、画像信号の輝度信号及び色差信号をＡＤＣＴ及びハフマン符号化等の処理によりデータ圧縮して着脱自在な記録媒体とされるメモリカード32に順次書き込む記録処理を行う。さらに、画像圧縮伸長部31は、再生モード時にメモリカード32に記録された画像データを読み出し、一連の動画を構成する個々の画像データを１フレーム単位で伸長し、この画像データを画像変換部23を介して表示エンコーダ24に出力し、メモリカード32に記憶された画像データに基づいて動画等の表示を可能とする処理を行なう。
【００３５】
そして、筐体の上面パネルに設けられるメインキー及びインジケータ等により構成されるキー／インジケータ部37の操作信号は、直接に制御部38に送出され、リモートコントローラからのキー操作信号は、Ｉｒ受信部35で受信され、Ｉｒ処理部36で復調されたコード信号が制御部38に出力される。
【００３６】
なお、制御部38にはシステムバス（ＳＢ）を介して音声処理部47が接続されている。この音声処理部47は、ＰＣＭ音源等の音源回路を備えており、投影モード及び再生モード時には音声データをアナログ化し、スピーカ48を駆動して拡声放音させる。
【００３７】
また、制御部38は、光源制御手段としての光源制御回路41を制御しており、この光源制御回路41は、画像生成時に要求される所定波長帯域光が光源ユニット60から射出されるように、光源ユニット60を制御する。この光源ユニット60は、レーザー発光器を備えた励起光照射装置70と、後述の蛍光ホイール101を備えた蛍光発光装置100と、赤色光源装置120と、を備える。
【００３８】
さらに、制御部38は、冷却ファン駆動制御回路43に光源ユニット60等に設けた複数の温度センサによる温度検出を行わせ、この温度検出の結果から冷却ファンの回転速度を制御させている。また、制御部38は、冷却ファン駆動制御回路43にタイマー等によりプロジェクタ本体の電源ＯＦＦ後も冷却ファンの回転を持続させる、あるいは、温度センサによる温度検出の結果によってはプロジェクタ本体の電源をＯＦＦにする等の制御も行う。
【００３９】
次に、このプロジェクタ10の内部構造について述べる。図３は、プロジェクタ10の内部構造を示す平面模式図である。プロジェクタ10は、図３に示すように、右側パネル14の近傍に制御回路基板241を備えている。この制御回路基板241は、電源回路ブロックや光源制御ブロック等を備えてなる。また、プロジェクタ10は、制御回路基板241の側方、つまり、プロジェクタ筐体の略中央部分に光源ユニット60を備えている。さらに、プロジェクタ10は、光源ユニット60と左側パネル15との間に光学系ユニット160を備えている。
【００４０】
光源ユニット60は、プロジェクタ筐体の左右方向における略中央部分であって背面パネル13近傍に配置される励起光照射装置70と、この励起光照射装置70から射出される光線束の光軸上であって正面パネル12の近傍に配置される蛍光発光装置100と、この蛍光発光装置100から射出される光線束と平行となるように正面パネル12の近傍に配置される青色光源装置300と、励起光照射装置70と蛍光発光装置100との間に配置される赤色光源装置120と、蛍光発光装置100からの射出光や赤色光源装置120からの射出光、青色光源装置300からの射出光の光軸が夫々同一の光軸となるように変換して各色光を所定の一面であるライトトンネル175の入射口に集光する光源側光学系140と、を備える。
【００４１】
励起光照射装置70は、背面パネル13と光軸が平行になるよう配置された励起光源71と、励起光源71からの射出光の光軸を正面パネル12方向に９０度変換する反射ミラー群75と、反射ミラー群75で反射した励起光源71からの射出光を集光する集光レンズ78と、励起光源71と右側パネル14との間に配置されたヒートシンク81と、を備える。
【００４２】
励起光源71は、３行８列の計２４個の青色レーザーダイオードがマトリクス状に配列されており、各青色レーザーダイオードの光軸上には、各青色レーザーダイオードからの射出光を平行光に変換する集光レンズであるコリメータレンズ73が夫々配置されている。また、反射ミラー群75は、複数の反射ミラーが階段状に配列されてなり、励起光源71から射出される光線束の断面積を一方向に縮小して集光レンズ78に射出する。
【００４３】
ヒートシンク81と背面パネル13との間には冷却ファン261が配置されており、この冷却ファン261とヒートシンク81とによって励起光源71が冷却される。さらに、反射ミラー群75と背面パネル13との間にも冷却ファン261が配置されており、この冷却ファン261によって反射ミラー群75や集光レンズ78が冷却される。
【００４４】
蛍光発光装置100は、正面パネル12と平行となるように、つまり、励起光照射装置70からの射出光の光軸と直交するように配置された蛍光ホイール101と、この蛍光ホイール101を回転駆動するホイールモータ110と、蛍光ホイール101から背面パネル13方向に射出される光線束を集光する集光レンズ群111と、を備える。
【００４５】
蛍光ホイール101は、円板状の金属基材であって、励起光源71からの射出光を励起光として緑色波長帯域の蛍光発光光を射出する環状の蛍光発光領域が凹部として形成され、励起光を受けて蛍光発光する蛍光板として機能する。また、蛍光発光領域を含む蛍光ホイール101の励起光源71側の表面は、銀蒸着等によってミラー加工されることで光を反射する反射面が形成され、この反射面上に緑色蛍光体の層が敷設されている。
【００４６】
そして、蛍光ホイール101の緑色蛍光体層に照射された励起光照射装置70からの射出光は、緑色蛍光体層における緑色蛍光体を励起し、緑色蛍光体から全方位に蛍光発光された光線束は、直接励起光源71側へ、あるいは、蛍光ホイール101の反射面で反射した後に励起光源71側へ射出される。また、蛍光体層の蛍光体に吸収されることなく、金属基材に照射された励起光は、反射面により反射されて再び蛍光体層に入射し、蛍光体を励起することとなる。よって、蛍光ホイール101の凹部の表面を反射面とすることにより、励起光源71から射出される励起光の利用効率を上げることができ、より明るく発光させることができる。
【００４７】
なお、蛍光ホイール101の反射面で蛍光体層側に反射された励起光において蛍光体に吸収されることなく励起光源71側に射出された励起光は、後述する第一ダイクロイックミラー141を透過し、蛍光光は第一ダイクロイックミラー141により反射されるため、励起光が外部に射出されることはない。そして、ホイールモータ110と正面パネル12との間には冷却ファン261が配置されており、この冷却ファン261によって蛍光ホイール101が冷却される。
【００４８】
赤色光源装置120は、励起光源71と光軸が平行となるように配置された赤色光源121と、赤色光源121からの射出光を集光する集光レンズ群125と、を備える。そして、この赤色光源装置120は、励起光照射装置70からの射出光及び蛍光ホイール101から射出される緑色波長帯域光と光軸が交差するように配置されている。また、赤色光源121は、赤色の波長帯域光を発する半導体発光素子としての赤色発光ダイオードである。さらに、赤色光源装置120は、赤色光源121の右側パネル14側に配置されるヒートシンク130を備える。そして、ヒートシンク130と正面パネル12との間には冷却ファン261が配置されており、この冷却ファン261によって赤色光源121が冷却される。
【００４９】
青色光源装置300は、蛍光発光装置100からの射出光の光軸と平行となるように配置された青色光源301と、青色光源301からの射出光を集光する集光レンズ群305と、を備える。そして、この青色光源装置300は、赤色光源装置120からの射出光と光軸が交差するように配置されている。また、青色光源301は、青色の波長帯域光を発する半導体発光素子としての青色発光ダイオードである。さらに、青色光源装置300は、青色光源301の正面パネル12側に配置されるヒートシンク310を備える。そして、ヒートシンク310と正面パネル12との間には冷却ファン261が配置されており、この冷却ファン261によって青色光源301が冷却される。
【００５０】
そして、光源側光学系140は、赤色、緑色、青色波長帯域の光線束を集光させる集光レンズや、各色波長帯域の光線束の光軸を変換して同一の光軸とさせるダイクロイックミラー等からなる。具体的には、励起光照射装置70から射出される青色波長帯域光及び蛍光ホイール101から射出される緑色波長帯域光の光軸と、赤色光源装置120から射出される赤色波長帯域光の光軸と、が交差する位置に、青色及び赤色波長帯域光を透過し、緑色波長帯域光を反射してこの緑色光の光軸を左側パネル15方向に９０度変換する第一ダイクロイックミラー141が配置されている。
【００５１】
また、青色光源装置300から射出される青色波長帯域光の光軸と、赤色光源装置120から射出される赤色波長帯域光の光軸と、が交差する位置に、青色波長帯域光を透過し、緑色及び赤色波長帯域光を反射してこの緑色及び赤色光の光軸を背面パネル13方向に９０度変換する第二ダイクロイックミラー148が配置されている。そして、第一ダイクロイックミラー141と第二ダイクロイックミラー148との間には、集光レンズが配置されている。さらに、ライトトンネル175の近傍には、ライトトンネル175の入射口に光源光を集光する集光レンズ173が配置されている。
【００５２】
光学系ユニット160は、励起光照射装置70の左側方に位置する照明側ブロック161と、背面パネル13と左側パネル15とが交差する位置の近傍に位置する画像生成ブロック165と、光源側光学系140と左側パネル15との間に位置する投影側ブロック168と、の３つのブロックによって略コの字状に構成されている。
【００５３】
この照明側ブロック161は、光源ユニット60から射出された光源光を画像生成ブロック165が備える表示素子51に導光する導光光学系170の一部を備えている。この照明側ブロック161が有する導光光学系170としては、光源ユニット60から射出された光線束を均一な強度分布の光束とするライトトンネル175、ライトトンネル175から射出された光を集光する集光レンズ178、ライトトンネル175から射出された光線束の光軸を画像生成ブロック165方向に変換する光軸変換ミラー181等がある。
【００５４】
画像生成ブロック165は、導光光学系170として、光軸変換ミラー181で反射した光源光を表示素子51に集光させる集光レンズ183と、この集光レンズ183を透過した光線束を表示素子51に所定の角度で照射する照射ミラー185と、を有している。さらに、画像生成ブロック165は、表示素子51とするＤＭＤを備え、この表示素子51と背面パネル13との間には表示素子51を冷却するためのヒートシンク190が配置されて、このヒートシンク190によって表示素子51が冷却される。また、表示素子51の正面近傍には、投影側光学系220としての集光レンズ195が配置されている。
【００５５】
投影側ブロック168は、表示素子51で反射されたオン光をスクリーンに放出する投影側光学系220のレンズ群を有している。この投影側光学系220としては、固定鏡筒に内蔵する固定レンズ群225と可動鏡筒に内蔵する可動レンズ群235とを備えてズーム機能を備えた可変焦点型レンズとされ、レンズモータにより可動レンズ群235を移動させることによりズーム調整やフォーカス調整を可能としている。
【００５６】
次に、本発明の電源コネクター500と電源ケーブル400との接続に対応して上カバー11と下カバー16との接合を開放させることを防ぐインターロック機構について図を用いて説明する。
【００５７】
プロジェクタ10の背面には、図４に示すように修理点検用開閉パネルの接合部近傍に着脱可能な電源ケーブル400の差込みプラグ401が接続される電源コネクター500を含む各種端子20が設けられている。そして、プロジェクタ筐体は、上述のとおり修理点検用開閉パネルである上カバー11と内部機構の多くが固定された本体を形成するためのカバーである下カバー16とにより形成され、上カバー11と下カバー16とは、複数の箇所で螺子や係合部等により接合されている。
【００５８】
また、上カバー11は、図５に示すように、上面パネルと、プロジェクタ10背面に位置する背面パネルを上下凹凸に分割された背面上側部と、図示しない左右側面を上下に分割された左右側面上方部とからなる。
【００５９】
そして、下カバー16は、底面パネルと、正面パネル12及びプロジェクタ10背面に位置する背面パネルを上下凹凸に分割された背面下側部と、図示しない左右側面を上下に分割された左右側面下方部とからなる。これにより、プロジェクタ10は、上カバー11と下カバー16とにより上下で挟むようにして接合されて筐体を形成し、内部に各種電子部品及び基板などを収納している。
【００６０】
電源ケーブル400には、図４に示したように一方を商用電源のコンセントに接続できるように電源プラグが形成されており、他方にプロジェクタ10の電源コネクター500に差し込めるように差込みプラグ401が形成されている。また、電源ケーブル400の差込みプラグ401の周縁には、遮蔽部403が左右に膨出するようにして２箇所に設けられている。
【００６１】
電源コネクター500に電源ケーブル400の差込みプラグ401が差し込まれることにより、プロジェクタ10へ電源が供給される。
【００６２】
また、電源コネクター500の周縁には、電源ケーブル400の差込みプラグ401が接続されると、遮蔽部403により遮蔽される係止手段であるスライドレバー502が左右に２箇所設けられている。
【００６３】
スライドレバー502は、図５に示したスライドフック部504を作動させるレバーであり、修理者が、修理点検用開閉パネルであり機器本体の上面を覆う上カバー11と下カバー16との接合を開放させるにあたって、複数の接合部の螺子等を取り外し、最後にスライドレバー502を操作することにより、プロジェクタ筐体を形成している上カバー11と下カバー16との接合を開放させることができる。
【００６４】
したがって、電源ケーブル400の差込みプラグ401が電源コネクター500に接続されていると、スライドレバー502が遮蔽されておりスライドレバー502を操作することはできず、修理点検用開閉パネルである上カバー11と下カバー16との接合を開放するためには、電源ケーブル400を外すことによりスライドレバー502を露出状態とさせることが必要となる。
【００６５】
なお、電源ケーブル400の遮蔽部403は、本体側のスライドレバー502のスライド操作が不可能な状態であれば、完全に遮蔽する必要がなく、例えば、半分露出された状態でもスライド操作が不可能な状態であれば充分である。
【００６６】
次に、プロジェクタ筐体内部で上カバー11と下カバー16とを接合させる構造について、図６を用いて説明する。
【００６７】
図６（ａ）は、プロジェクタ筐体内部から見た上カバー11と下カバー16との接合が開放された状態を示す。上カバー11の内部には、下カバー16と一体となって形成される電源コネクター500を嵌め込むために凸状に切りかかれた部分の左右で、各々が弾性部材であるバネ505により一方向に支持されるスライドレバー502と一体で作動する２つのスライドフック部504を備える。
【００６８】
そして、ケースである下カバー16の内部には、夫々のスライドフック部504と係合する２つのピン506が突出するように形成されている。また、下カバー16の下方には、上下に作動できるように３つのバネ508で支持されるフック保持部材である下カバー保持部材507を設けており、下カバー保持部材507は、図６（ｃ）に示すようにピン506に係合されたスライドフック部504を保持する働きを有する。
【００６９】
さらに、下カバー保持部材507には電源コネクター遮蔽部507aが設けられている。電源コネクター遮蔽部507aは、図６（ａ）に示すように、上カバー11と下カバー16との接合が開放されている場合は、電源コネクター500を遮蔽して、電源ケーブル400が接続できないようになっている。
【００７０】
図６（ｂ）は、プロジェクタ筐体内部で上カバー11と下カバー16とが接合された状態を示し、上カバー11の２つのスライドフック部504は、下カバー16の２つのピン506に係合されている。そして、２つのスライドフック部504は、３つのバネ508で支持される下カバー保持部材507を下方に押圧するように２つのピン506に係合されており、下カバー保持部材507が上方に加圧することにより、スライドフック部504がピン506に係合した状態を保持する。
【００７１】
そして、プロジェクタ筐体内部で上カバー11と下カバー16とが接合された状態から、図６（ｃ）に示すように上カバー11の２つのスライドレバー502を電源コネクター500を中央とした左右方向に夫々スライドさせることにより、２つのスライドフック部504は、係合する夫々のピン506から係合が解除されることにより、プロジェクタ筐体の内部で上カバー11と下カバー16との係合を維持する係止手段としたスライドレバー502を開放させることとなる。
【００７２】
この時、すなわち上カバー11と下カバー16とが接合され係合された状態を維持できるときは、下カバー保持部材507の動きとともに電源コネクター遮蔽部507aも下方に移動し、電源コネクター500の遮蔽を開放して、電源ケーブル400が接続できるようになっている。
【００７３】
さらに、本発明は上記に限らず、変形例として、以下の場合でも電源コネクター500と電源ケーブル400との接続に対応して上カバー11と下カバー16との接合を開放させることを防ぐインターロック機構とすることができる。
【００７４】
図７に示すように電源コネクター500の周縁に上カバー11と下カバー16とを接合するために２箇所の螺子止め部509を設ける。
【００７５】
そして、その螺子止め部509は、差込みプラグ401の左右に遮蔽部403を有する電源ケーブル400の差込みプラグ401が電源コネクター500に接続されると、電源ケーブル400の遮蔽部403により遮蔽されることから、上カバー11と下カバー16との接合を開放させることができない。
【００７６】
したがって、上カバー11と下カバー16との接合を開放させるには、電源コネクター500に接続された電源ケーブル400を取り外し遮蔽されていた螺子止め部509を露出させ、螺子510を外す必要がある。即ち、電源ケーブル400を取り外すことでプロジェクタ10への電源供給を停止することとなり、レーザー発光器による光線が誤って照射されることを防止した上で、機器内部を塞いでいた上カバー11と下カバー16とを取り外すことが可能となる。
【００７７】
以上のように、本発明によれば、遮蔽部403を有する電源ケーブル400を本体から外さなければ、修理点検用開閉パネルを開けることができないようにする安価な構成の電子機器を提供することができる。
【００７８】
また、本発明によれば、電源ケーブル400を本体から外して、修理者がスライドレバー502を左右にスライドさせなければ、上カバー11と下カバー16とを取り外すことができないので、確実に電源供給を停止させることとなる。
【００７９】
さらに、本発明によれば、スライドレバー502がバネ505によりフックされる方向に支持されていることから、不用意にスライドレバー502が開放側にセットされることを防止できる。
【００８０】
そして、本発明によれば、バネ505によりスライドフック部504がピン506に係合する方向に支持されることから、スライドレバー502をスライドさせなければ、上カバー11と下カバー16とを取り外すことができない。
【００８１】
また、本発明によれば、ピン506に係合したスライドフック部504を下カバー保持部材507により上方に加圧して保持することから、簡単にスライドフック部504がピン506から外れることがない。
【００８２】
そして、本発明によれば、下カバー保持部材507に電源コネクター遮蔽部507aが設けられているため、上カバー11と下カバー16との接合が開放されている場合は、電源コネクター500は遮蔽され、電源ケーブル400を接続できず、確実に電源供給を停止できる。
【００８３】
さらに、本発明によれば、スライドレバー502ではなく螺子止め部509によるインターロック機構としても同様の効果を得られることから、筐体内部に複数の部材を設ける必要がないので、経済的である。
【００８４】
なお、本発明は、以上の実施例に限定されるものでなく、発明の要旨を逸脱しない範囲で自由に変更、改良が可能である。本実施例では、電子機器としてプロジェクタ10を適用し、修理者に誤ってレーザー光線が照射されることを防止することについて説明してきたが、パソコン、プリンター、ＡＶ機器、携帯電話等の内部に高圧部等を有する電子機器においても適用可能である。つまり、内部に高圧部等を有する電子機器の場合に、修理点検用パネルの接合を開放するにあたって、確実に電源供給を停止することにより、修理者が誤って高圧部等に触れることを防止できる。
【００８５】
また、本実施例では、修理点検用開閉パネルとして機器本体の上面を覆う上カバー11とし、開閉パネルを開いて筐体内全体を目視修理可能とする上カバー11と内部機構を収納固定する下カバー16とにより上下から挟むようにして接合することにより内部を塞ぐ構成とした電子機器について説明してきたが、消耗部品を含んで構成される電子機器の異なる構成の修理点検用パネルにも適用できる。
【００８６】
例えば、プロジェクタ10等の電子機器には、光源ランプを採用しているものがあり、比較的寿命が短いとされる光源ランプ等の消耗部品を含んで構成される場合が多い。メタルハライドランプ等の光源ランプは、点灯時間と共に発光管が次第に劣化していき、輝度および全光束が低下する。そこで、プロジェクタ10は、メタルハライドランプの総点灯時間を積算する寿命計を用いて、積算点灯時間が所定値となるとメタルハライドランプを交換させるように表示部等を介して警告表示させるものである。
【００８７】
警告表示を受けてプロジェクタ10の所有者は、予め購入した新品のメタルハライドランプを、プロジェクタ10のマニュアルを参照しながら、交換作業を行うこととなる。そして、ユーザーにより消耗部品を交換する場合に、安全を期するためにプロジェクタ10は、消耗部品交換用の開閉パネルを設けており、消耗部品以外に内蔵されている部材が極力露出されないようにするものである。
【００８８】
つまり、消耗部品交換用の開閉パネルは、内蔵されるメタルハライドランプがプロジェクタ10の背面側中央部近傍で上部に位置するのであれば、プロジェクタ10上面において背面側中央部近傍にランプサイズ程の面積を有するような上面部であって、この上面部の前端などに係合部を有し、上面部から電源コネクター500を備える背面側に、係止手段を設けた背面部を有するＬ字一体型の形状とすることもある。
【００８９】
これによれば、遮蔽部403を有する電源ケーブル400を本体から外さなければ、Ｌ字型に形成されたパネルを開けることができないことから、パネル開放時に誤ってランプによる光線が照射されるなどを防止できる。
【００９０】
また、基板、バッテリーやメモリーなどの消耗部品又は修理交換が必要となる部品を含んで構成されるパソコン、ＡＶ機器等であれば、修理又は交換時に開放させる修理点検用開閉パネルの構造は、その対象物が機器内部で配置されている位置に応じて異なってくる。
【００９１】
つまり、修理点検用の開閉パネルは、内蔵される基板、バッテリーやメモリーなどが電子機器の背面側中央部近傍に下方に位置するのであれば、電子機器下面において背面側中央部近傍に基板、バッテリーやメモリーのサイズに応じた面積を有し、電源コネクター500を備える背面側に向けて底面部と背面部を有するＬ字一体型の形状とすることもある。
【００９２】
なお、電源コネクター500が背面パネル13ではなく左右の側面パネルに設けられている電子機器では、上面から側面又は底面から側面に至るＬ字型の開閉パネルとするものである。
【００９３】
これによれば、遮蔽部403を有する電源ケーブル400を本体から外さなければ、Ｌ字型に形成されたパネルを開けることができないことから、パネル開放時に誤って高圧部に接触したり、漏電するなどを防止できる。
【符号の説明】
【００９４】
10  プロジェクタ
11  上カバー                               12  正面パネル
13  背面パネル                             14  右側パネル
15  左側パネル                             16  下カバー
17  排気孔
18  吸気孔                                 19  レンズカバー
20  各種端子                               21  入出力コネクター部
22  入出力インターフェース                 23  画像変換部
24  表示エンコーダ                         25  ビデオＲＡＭ
26  表示駆動部                             31  画像圧縮伸長部
32  メモリカード                           35  Ｉｒ受信部
36  Ｉｒ処理部                             37  キー／インジケータ部
38  制御部                                 41  光源制御回路
43  冷却ファン駆動制御回路                 45  レンズモータ
47  音声処理部                             48  スピーカ
51  表示素子                              
60  光源ユニット                           70  励起光照射装置
71  励起光源                               73  コリメータレンズ
75  反射ミラー群
78  集光レンズ                             81  ヒートシンク
100  蛍光発光装置                          101  蛍光ホイール
110  ホイールモータ                        111  集光レンズ群
120  赤色光源装置                          121  赤色光源
125  集光レンズ群                          130  ヒートシンク
140  光源側光学系                          141  第一ダイクロイックミラー
148  第二ダイクロイックミラー              160  光学系ユニット
161  照明側ブロック                        165  画像生成ブロック
168  投影側ブロック                        170  導光光学系
173  集光レンズ                            175  ライトトンネル
178  集光レンズ                            181  光軸変換ミラー
183  集光レンズ                            185  照射ミラー
190  ヒートシンク                          195  集光レンズ
220  投影側光学系                          225  固定レンズ群
235  可動レンズ群                          241  制御回路基板
261  冷却ファン                            300  青色光源装置
301  青色光源                              305  集光レンズ群
310  ヒートシンク                          400  電源ケーブル
401  差込みプラグ                          403  遮蔽部
500  電源コネクター                        502  スライドレバー
504  スライドフック部                      505  バネ
506  ピン                                  507  下カバー保持部材
507a  電源コネクター遮蔽部
508  バネ                                  509  螺子止め部
510  螺子
【図１】
2011197591.tif 000003
【図２】
2011197591.tif 000004
【図３】
2011197591.tif 000005
【図４】
2011197591.tif 000006
【図５】
2011197591.tif 000007
【図６】
2011197591.tif 000008
【図７】
2011197591.tif 000009